(57)【要約】【課題】  近接スイッチの検出面を検出中心軸線先端側にのみ形成することによって、近接スイッチを入賞通路に組み込んで小型軽量コンパクト化を一層促進することのできる遊技機用入賞装置を提供する。【解決手段】  近接スイッチ４２は、斜め流路２５に対して検出中心軸線Ｏが直交状になり、検出中心軸線Ｏの先端側にのみ形成される検出面４２ａが斜め流路２５の前方流路形成面２５ａと平行状となるように対向配置されている。斜め流路２５の後方側壁部４４は後方ケース４に一体形成され、近接スイッチ４２は、後方側壁部４４に埋設されるとともに、検出面４２ａが後方側壁部４４の後方流路形成面４４ａと面一状になるように配置されている。後方流路形成面４４ａは、検出面４２ａよりも上方において、斜め流路２５の一部をなす湾曲形状（アール形状）に形成されている。【選択図】  図４
2007275201.tif 000002
【特許請求の範囲】
【請求項１】
遊技盤の後方側に形成される入賞通路に、その入賞通路を流れる遊技球を検出するための入賞検知センサが配置される遊技機用入賞装置であって、
前記入賞通路は、遊技盤の前方側に位置する遊技球をその遊技盤を貫通して後方側へ誘導する誘導樋と、その誘導樋が後端部において前記遊技盤の裏面に沿う方向であって後方側ほど低くなるように傾斜した斜め流路とを含み、
前記入賞検知センサは、その斜め流路に対して検出中心軸線が直交状になり、かつその検出中心軸線先端側にのみ形成される検出面が前記斜め流路の前方流路形成面と平行状となるように対向配置された近接スイッチで構成されることを特徴とする遊技機用入賞装置。
【請求項２】
前記近接スイッチの検出面は矩形状の平坦面に形成されるとともに、
前記斜め流路を流下する遊技球を前記検出中心軸線に沿って前記近接スイッチの検出面に投影したとき、その検出面全体が前記遊技球で覆い隠される形で当該遊技球の検出が行われる請求項１に記載の遊技機用入賞装置。
【請求項３】
前記入賞検知センサは前記斜め流路の後方側壁部に埋設されるとともに、
前記入賞検知センサの検出面は前記後方側壁部の後方流路形成面と面一状になるように又は後方へ退避するように配置されている請求項１又は２に記載の遊技機用入賞装置。
【請求項４】
前記遊技盤の盤面前方に配置され、前後方向の軸線周りでの回動変位により遊技球の入球のし易さが変化する一対の回動翼片と、
前記遊技盤の盤面とは反対側の裏面側に固定され、前記回動翼片を回動変位させるための駆動源とを備え、
前記入賞検知センサは前記駆動源の下方に配置されている請求項１ないし３のいずれか１項に記載の遊技機用入賞装置。
【請求項５】
前記駆動源と入賞検知センサとは一体成形された高分子材料製のケースに収納され、前記斜め流路の後方側壁部が前記ケースに形成されている請求項４に記載の遊技機用入賞装置。
【請求項６】
前記ケースは、前記駆動源及び入賞検知センサにそれぞれ導通するリード線を束ねる結束具が保持される結束具保持部を有している請求項５に記載の遊技機用入賞装置。
【請求項７】
前記入賞通路の上方には副入賞通路が形成されるとともに、
前記ケースには、その副入賞通路を流れる遊技球を検出するための副入賞検知センサが収納・配置されている請求項５又は６に記載の遊技機用入賞装置。
【発明の詳細な説明】
【技術分野】
【０００１】
本発明は、遊技機用入賞装置に関する。
【背景技術】
【０００２】
一般に、遊技機用入賞装置には、遊技盤の後方側に形成される入賞通路に、入賞通路を流れる遊技球を検出して賞球の払出を行うための検出スイッチ（入賞検知センサ）が配置されている。そして、検出スイッチとして環状検出面を有する近接スイッチを、後方から前方に向けて下り傾斜した状態で入賞装置の後方部に取り付け、入賞装置の縦寸法及び奥行き方向の寸法が大きくなりすぎることを抑えて、入賞装置の小型化を図る提案がなされている（特許文献１参照）。
【０００３】
【特許文献１】特開２００５−２８８０４２号公報（請求項２、段落０００９）
【０００４】
特許文献１によれば、入賞装置の小型化をある程度達成することが可能であるが、近接スイッチを下り傾斜状態に取り付けても、入賞通路が近接スイッチの環状検出面の中心軸線に沿って形成されていなければ、遊技球の滞留や詰りを生じるおそれがある。また、環状検出面を有する近接スイッチではその環状検出面の中央を遊技球が貫通して通過する必要があるため、遊技球を環状に取り囲む分だけ大きく通路形成しなければならなくなる。なお、基本的にこの問題は賞球の払出とは無関係である。
【発明の開示】
【発明が解決しようとする課題】
【０００５】
本発明の課題は、近接スイッチの検出面を検出中心軸線先端側にのみ形成することによって、近接スイッチを入賞通路に組み込んで小型軽量コンパクト化を一層促進することのできる遊技機用入賞装置を提供することにある。
【課題を解決するための手段及び発明の効果】
【０００６】
上記課題を解決するために、本発明の遊技機用入賞装置は、
遊技盤の後方側に形成される入賞通路に、その入賞通路を流れる遊技球を検出するための入賞検知センサが配置される遊技機用入賞装置であって、
前記入賞通路は、遊技盤の前方側に位置する遊技球をその遊技盤を貫通して後方側へ誘導する誘導樋と、その誘導樋が後端部において前記遊技盤の裏面に沿う方向であって後方側ほど低くなるように傾斜した斜め流路とを含み、
前記入賞検知センサは、その斜め流路に対して検出中心軸線が直交状になり、かつその検出中心軸線先端側にのみ形成される検出面が前記斜め流路の前方流路形成面と平行状となるように対向配置された近接スイッチで構成されることを特徴とする。
【０００７】
このように、入賞検知センサは、斜め流路に対して検出中心軸線が直交状になり、かつ検出中心軸線先端側にのみ形成される検出面が斜め流路の前方流路形成面と平行状となるように対向配置された近接スイッチで構成される。すなわち、近接スイッチの検出面を検出中心軸線先端側にのみ形成したため、遊技球を環状に取り囲む必要がなくなり、近接スイッチひいては遊技機用入賞装置を小型化できる。しかも、検出面が斜め流路の前方流路形成面と平行状となるように対向配置することによって、近接スイッチが斜め流路（入賞通路）の一部を構成するように組み込むことができ、遊技機用入賞装置をさらに小型化できる。
【０００８】
ところで、本発明における「入賞」は検出対象になっている特定領域に遊技球が存在することを意味し、賞球の払出とは関係しない。すなわち、入賞検知センサ（近接スイッチ）によって遊技球が検出されても、賞球の払出がなされない場合がありうる。
【０００９】
具体的には、近接スイッチの検出面を矩形状の平坦面に形成するとともに、斜め流路を流下する遊技球を検出中心軸線に沿って近接スイッチの検出面に投影したとき、その検出面全体が遊技球で覆い隠される形で遊技球の検出を行うこととなる。このように、近接スイッチの検出面が遊技球を環状に取り囲む形を取らなくても、検出面全体が遊技球で覆い隠されて遊技球の検出が行われるので、近接スイッチでの誤検出を防止しつつ入賞装置の小型軽量コンパクト化を達成することができる。
【００１０】
なお、ここで用いられる近接スイッチは高周波発振式であり、検出コイルに遊技球（金属物体）が接近したとき、電磁誘導作用によって遊技球内に誘導電流（渦電流）が流れて検出コイルのインダクタンスが変化し、検出コイルに接続した発振回路の発振周波数や発振振幅が変化することによりスイッチング動作を行う。
【００１１】
入賞検知センサは斜め流路の後方側壁部に埋設されるとともに、入賞検知センサの検出面は後方側壁部の後方流路形成面と面一状になるように又は後方へ退避するように配置されていることが望ましい。これによって、遊技球が入賞検知センサの検出面に衝突することを回避して、入賞検知センサの故障・誤検出等を防止することができる。
【００１２】
ところで、このような遊技機用入賞装置の具体的態様は、
遊技盤の盤面前方に配置され、前後方向の軸線周りでの回動変位により遊技球の入球のし易さが変化する一対の回動翼片と、
遊技盤の盤面とは反対側の裏面側に固定され、回動翼片を回動変位させるための駆動源とを備え、
入賞検知センサは駆動源の下方に配置されているものとすることができる。
【００１３】
このように、一対の回動翼片と駆動源とを備える、いわゆる電動チューリップを遊技機用入賞装置の典型例として例示でき、入賞検知センサ（近接スイッチ）を駆動源の下方に配置することにより、入賞装置の小型軽量コンパクト化に寄与することができる。この場合、駆動源はリニア駆動源（例えばソレノイド）、回転駆動源（例えばモータ）を問わない。
【００１４】
具体的には、駆動源と入賞検知センサとは一体成形された高分子材料製のケースに収納され、斜め流路の後方側壁部がケースに形成されていることが望ましい。このように、駆動源と入賞検知センサ（近接スイッチ）とを一体ケースに収納することにより、各々の作動精度を向上させるとともに、斜め流路の形成が容易になる。なお、高分子材料にはプラスチック（合成樹脂）とエラストマー（合成ゴム）とを含む。
【００１５】
このとき、入賞検知センサは、ケースに対して検出面を斜め流路に露出させた状態で、一対の回動翼片が配置される方向に沿って挿入されていてもよい。例えば組立時に入賞検知センサを一体ケースに収納するとき、横方向から挿入できるので、入賞装置が小型化されて取り付けスペースが小さくなっても、入賞装置の他部と接触して損傷を受けたりしにくくなる。
【００１６】
また、ケースには、外力を受けると弾性変形によって外側に拡がるとともに、その外力がなくなると内側に弾性復帰する係止片が形成され、入賞検知センサは、係止片を弾性変形させた状態でケースに挿入されるとともに、挿入後に係止片の弾性復帰によりケースに固定・保持されるものであってもよい。入賞検知センサ挿入後の固定・保持を係止片によって行えるので、入賞検知センサを挿入するための開口を大きく形成して出し入れを楽にすることが可能となる。
【００１７】
さらに、ケースは、駆動源及び入賞検知センサにそれぞれ導通するリード線を束ねる結束具が保持される結束具保持部を有していてもよい。これらのリード線は駆動源及び入賞検知センサに対して電力供給や信号出力を行うためのものであり、結束具保持部と結束具とによって組電線（ワイヤハーネス）として配線処理が容易に行なえる。
【００１８】
入賞通路の上方には副入賞通路が形成されるとともに、ケースには、その副入賞通路を流れる遊技球を検出するための副入賞検知センサを収納・配置することができる。これによって、複数の入賞通路及び複数の入賞検知センサを有する入賞装置に対しても同様に適用することができる。この場合、副入賞検知センサにも、上記入賞検知センサと同様の近接スイッチを用いることが望ましい。なお、副入賞通路は一対の回動翼片の上方から遊技盤を貫通して後方側に誘導され、誘導樋の上方から右下方（又は左下方）へ流下する径路を含む場合がある。また、副入賞検知センサのリード線を上記結束具で束ねるようにすれば、組電線（ワイヤハーネス）として配線処理が一層容易に行なえる。
【発明を実施するための最良の形態】
【００１９】
（実施例１）
以下、本発明の実施の形態を図面を参照しつつ説明する。図１は本発明に係る遊技機用入賞装置（以下、単に入賞装置ともいう）を備えたパチンコ機の一例を示す正面図、図２は本発明に係る入賞装置の一例を後方から見た分解斜視図、図３はその入賞装置の閉状態での正面図及びＡ−Ａ断面図、図４は同じく開状態での正面図及びＢ−Ｂ断面図である。図１に示すように、パチンコ機１００（遊技機）の遊技盤１０１の前面（以下、盤面という）１０１ａには、ほぼ左半周が内外２本の発射レール１０２によって区画され、全体としてほぼ円形の遊技領域１０３が形成されている。
【００２０】
盤面１０１ａ（遊技領域１０３）のほぼ中央には、手前側（遊技者側）に開口する箱状の中央役物１１０（役物装置）が配設されている。この中央役物１１０は、箱型の下部（下辺）及び左右の側部（側辺）を構成する本体枠１１１と、その上部（上辺）を構成する屋根状の上部枠１１２とを有する。そして、中央役物１１０の内側奥部（盤面１０１ａ側）には、複数（例えば３桁）の図柄表示領域を有する特別図柄表示部１０８が備えられている。一方、上部枠１１２の中央頂部には、１又は複数（例えば２個）の図柄表示領域を有する普通図柄表示部１０７が備えられている。
【００２１】
中央役物１１０の下方には、狭く開口し入賞困難な第一状態（閉鎖状態；図３参照）と広く開口し入賞容易な第二状態（開放状態；図４参照）とに開口態様が変化する一対の回動翼片２２，２２を有し、入賞に基づき特別図柄表示部１０８の図柄変動表示をスタートさせるスタートチャッカー１（始動入賞口；入賞装置；遊技機用入賞装置）が配置されている。さらにその下方には、特別図柄表示部１０８が所定の図柄（例えば、「７７７」等の３桁のゾロ目）に揃ったときに開口するアタッカー１０６（大入賞口）が配置されている。また、中央役物１の左右斜め下方でスタートチャッカー１の左右には、入球（ゲート通過）に基づき普通図柄表示部１０７に所定の図柄（例えば〇×等）の変動表示をスタートさせるゲート状のスルーチャッカー１０４，１０４（通過ゲート）がそれぞれ配置されている。
【００２２】
なお、本実施例において、上下方向とは遊技盤１０１の盤面１０１ａに沿う形で遊技球が流下する方向（例えば鉛直方向）を意味する。また、左右方向とは盤面１０１ａに沿う形で上下方向と交差する方向（例えば水平方向）を意味し、遊技者側から見て左側、右側をいう。さらに、前後方向とは盤面１０１ａと交差（例えば直交）する方向を意味し、前方側（手前側）が遊技者側、後方側（奥側）が盤面１０１ａ側となる。
【００２３】
図２及び図３に示すように、入賞装置１は、遊技盤１０１の盤面１０１ａ（図１参照）に取り付けられる本体部２と、本体部２の前方側でビス等の締結部材１３で固定される前側装飾部３と、本体部２の後方側でビス等の締結部材１４で固定される後方ケース４（ケース）とを主として備えている。
【００２４】
本体部２は盤面１０１ａ（図１参照）にビス等の締結部材１２で固定される台板２１と、台板２１と前側装飾部３との間で左右方向に配置された一対の回動翼片２２，２２とを含む。各回動翼片２２，２２は、前側装飾部３と台板２１とで支持されて、盤面１０１ａと交差（直交）する前後方向の軸線Ｏ１，Ｏ１を有する支持軸２２ａ，２２ａ周りで回動変位する。これによって、一対の回動翼片２２，２２を閉じて遊技球が入球しにくくする閉鎖状態（図３参照）と、一対の回動翼片２２，２２を開いて遊技球が入球し易くする開放状態（図４参照）とに変化する。
【００２５】
一方、後方ケース４は合成樹脂により一体成形され、回動翼片２２，２２を回動変位させるためのソレノイド４１（駆動源）と、台板２１の後方側に形成される入賞通路２３を流れる遊技球を検出して賞球の払出を行うための近接スイッチ４２（入賞検知センサ）とが収納・配置されている。なお、近接スイッチ４２とソレノイド４１とは、近接スイッチ４２が下方に位置するように上下に積み重ねて配置されている。ソレノイド４１と近接スイッチ４２とを一体の後方ケース４に収納することにより、各々の作動精度を向上させるとともに、斜め流路２５の形成が容易になる。なお、符号１５は、ソレノイド４１を後方ケース４に固定するためのビス等の締結部材である。
【００２６】
ソレノイド４１のプランジャ４１ａとプランジャヘッド４１ｂとの間には、プランジャ４１ａを突出方向に付勢する圧縮コイルばね４１ｃ（付勢部材）が介装されている。また、後方ケース４には、プランジャヘッド４１ｂの前後変位を、回動翼片２２，２２の前後方向軸線Ｏ１，Ｏ１周りの回動変位に変換して伝達するために、回動部材４３（伝動機構）の左右方向の回動軸４３ａ，４３ａ（回動軸線Ｏ２）が支持されている。したがって、ソレノイド４１が消磁されているときには、圧縮コイルばね４１ｃの付勢によりプランジャ４１ａが突出し、回動翼片２２，２２は閉鎖状態（図３参照）となる。一方、ソレノイド４１が励磁されているときには、圧縮コイルばね４１ｃの付勢力に抗してプランジャ４１ａが退入し、回動翼片２２，２２は開放状態（図４参照）となる。なお、回動軸４３ａ，４３ａは、回動翼片２２，２２が閉鎖状態・開放状態のいずれの状態にあっても、斜め流路２５内に位置するので（図３（ｂ）、図４（ｂ）参照）、入賞装置１の一層の小型化を図れる。
【００２７】
図４に示すように、一対の回動翼片２２，２２間で入賞した遊技球Ｂは、回動翼片２２，２２の下方に位置する前側装飾部３の傾斜樋３１と、それに続いて本体部２に形成された誘導樋２４とによって、遊技盤１０１を貫通して後方側へ誘導される。さらに、遊技球Ｂは、誘導樋２４が後端部において遊技盤１０１の裏面に沿う方向であって後方側ほど低くなるように傾斜した斜め流路２５に導かれる。このように、傾斜樋３１、誘導樋２４、斜め流路２５を含む入賞通路２３によって、遊技盤１０１の前方側で入賞した遊技球Ｂは、遊技盤１０１を貫通して後方下方へ誘導される。
【００２８】
このとき、近接スイッチ４２は、斜め流路２５に対して検出中心軸線Ｏが直交状になり、検出中心軸線Ｏの先端側にのみ形成される検出面４２ａが斜め流路２５の前方流路形成面２５ａと平行状となるように対向配置されている。具体的には、斜め流路２５の後方側壁部４４は後方ケース４に一体形成され、近接スイッチ４２は、後方側壁部４４に埋設されるとともに、検出面４２ａが後方側壁部４４の後方流路形成面４４ａと面一状になるように配置されている。また、後方流路形成面４４ａは、検出面４２ａよりも上方において、斜め流路２５の一部をなす湾曲形状（アール形状）に形成されている。これらによって、遊技球Ｂが近接スイッチ４２の検出面４２ａに衝突することが回避され、近接スイッチ４２の故障・誤検出等を防止できる。そして、上記した回動軸４３ａ，４３ａはこの湾曲形状の後方流路形成面４４ａの直下に位置するので、入賞装置１をさらに小型コンパクトに構成できる。
【００２９】
図５に示すように、近接スイッチ４２の検出面４２ａは矩形状の平坦面に形成されている。また、斜め流路２５を流下する遊技球Ｂを検出中心軸線Ｏに沿って近接スイッチ４２の検出面４２ａに投影すると、検出面４２ａ全体が遊技球Ｂで覆い隠される形で遊技球Ｂの検出が行われるので、近接スイッチ４２での誤検出が防止され、また入賞装置１が小型コンパクトになる。
【００３０】
図２に戻り、近接スイッチ４２は、後方ケース４に対して検出面４２ａを斜め流路２５に露出させた状態で、左右方向に挿入されている。さらに、後方ケース４には、外力を受けると弾性変形によって外側に拡がるとともに、その外力がなくなると内側に弾性復帰する係止片４５が形成されている。したがって、近接スイッチ４２は、係止片４５を弾性変形させた状態で後方ケース４に挿入されるとともに、挿入後に係止片４５の弾性復帰により後方ケース４に固定・保持される。
【００３１】
図８、図９に示すように、ソレノイド４１と導通して電力供給するリード線４１ｄと、近接スイッチ４２と導通して電力供給するとともに信号出力するリード線４２ｂとを束ねる結束具５が使用されている。そして、後方ケース４には、結束具５を挿通・保持するための切欠状の結束具保持部４６が形成されている。
【００３２】
図２〜図４に示すように、入賞通路２３の上方には上側通路２６が形成されている。上側通路２６は、本体部２に形成され遊技球Ｂ’（図４参照）を遊技盤１０１を貫通して後方側に誘導する上側樋２７と、後方ケース４に形成され誘導樋２４の上方から右下方へ流下する流下路２８とを含んで構成されている。
【００３３】
（実施例２）
図６・図７に本発明に係る遊技機用入賞装置（以下、単に入賞装置ともいう）の他の例を示す。ここに例示するスタートチャッカー１０（始動入賞口；入賞装置）と実施例１（図２〜図５）に示すスタートチャッカー１（始動入賞口；入賞装置）との差異は、上側通路２６（副入賞通路）の流下路２８に検出面４７ａを対向させて第二近接スイッチ４７（副入賞検知センサ）が配置されていることである。第二近接スイッチ４７によって、上側通路２６でも遊技球Ｂ’（図４参照）を検出して賞球の払出が行われる。なお、第二近接スイッチ４７は、近接スイッチ４２と同様に、検出面４７ａが検出中心軸線Ｏの先端側にのみ形成されている。
【００３４】
このように、２つの入賞通路２３，２６に、検出面４７ａが検出中心軸線Ｏの先端側にのみ形成された近接スイッチ４２，４７をそれぞれ配置することによって、入賞装置１０の小型化を図っている。
【００３５】
図８・図９に示す結束具５は、リード線４１ｄ，４２ｂに加えて、第二近接スイッチ４７と導通して電力供給するとともに信号出力するリード線４７ｂも束ねている。なお、符号４８はリード線４７ｂを挿通するために後方ケース４に形成されたスリット、４８ａはリード線４７ｂのスリット４８からの抜け出しを防止するための突出部である。
【００３６】
また、実施例２（図６・図７）において、実施例１（図２〜図５）と共通する機能を有する部分には同一符号を付して説明を省略する。
【００３７】
以上の実施例では、本発明をスタートチャッカー１に適用した場合のみについて説明したが、アタッカー１０６に適用してもよい。また、近接スイッチ４２，４７で遊技球Ｂ，Ｂ’を検出したとき、賞球の払出が行われなくてもよい。
【図面の簡単な説明】
【００３８】
【図１】本発明に係る入賞装置を備えたパチンコ機の一例を示す正面図。
【図２】本発明に係る入賞装置の一例を後方側から見た分解斜視図。
【図３】図２の入賞装置の閉状態での正面図及びＡ−Ａ断面図。
【図４】図２の入賞装置の開状態での正面図及びＢ−Ｂ断面図。
【図５】遊技球と近接スイッチの検出面との関係を示す説明図。
【図６】本発明に係る入賞装置の他の例を前方側から見た斜視図。
【図７】図６の入賞装置を後方側から見た分解斜視図。
【図８】結束具及び結束具保持部の使用状態を示す後方側から見た斜視図。
【図９】図８の側面図。
【符号の説明】
【００３９】
１，１０    スタートチャッカー（始動入賞口；入賞装置；遊技機用入賞装置）
２          本体部
２１        台板
２２        回動翼片
２３        入賞通路
２４        誘導樋
２５        斜め流路
２５ａ      前方流路形成面
２６        上側通路（副入賞通路）
２７        上側樋
２８        流下路
３          前側装飾部
４          後方ケース（ケース）
４１        ソレノイド（駆動源）
４１ｄ      リード線
４２        近接スイッチ（入賞検知センサ）
４２ａ      検出面
４２ｂ      リード線
４３        回動部材（伝動機構）
４４        後方側壁部
４４ａ      後方流路形成面
４５        係止片
４６        結束具保持部
４７        第二近接スイッチ（入賞検知センサ）
４７ａ      検出面
４７ｂ      リード線
５          結束具
１００      パチンコ機（遊技機）
１０１      遊技盤
Ｏ          検出中心軸線
【図１】
2007275201.tif 000003
【図２】
2007275201.tif 000004
【図３】
2007275201.tif 000005
【図４】
2007275201.tif 000006
【図５】
2007275201.tif 000007
【図６】
2007275201.tif 000008
【図７】
2007275201.tif 000009
【図８】
2007275201.tif 000010
【図９】
2007275201.tif 000011